(57)【要約】【課題】電気かみそりにおいて、きわ剃りユニットの使用時にかみそりヘッドが本体部に対して左右傾動するのを規制して、可動刃に対する動力の伝動を効率よく行なう。【解決手段】かみそりヘッド２が本体部１に対して少なくとも左右傾動可能に支持されており、本体部１の周囲にきわ剃りユニット６が配置してある。きわ剃りユニット６を使用姿勢に切換えた状態において、かみそりヘッド２の本体部１に対する変位を規制し、かつ、かみそりヘッド２の切断刃部１１を保護する保護規制体３を備えている。保護規制体は、不使用時にかみそりヘッド２の切断刃部１１の外面を覆う保護キャップ３からなる。切断刃部１１を覆う保護キャップ３を本体部１の装着部５１で受止めて、かみそりヘッド２の本体部１に対する変位を規制する。【選択図】図１
2014018585.tif 000002
【特許請求の範囲】
【請求項１】
かみそりヘッド（２）が本体部（１）に対して少なくとも左右傾動可能に支持されており、本体部（１）の周囲にきわ剃りユニット（６）が配置してある電気かみそりであって、
きわ剃りユニット（６）を待機姿勢から使用姿勢に変位させた状態において、かみそりヘッド（２）側の往復動力が伝動機構を介してきわ剃りユニット（６）の可動刃（４８）に伝動されるように構成されており、
きわ剃りユニット（６）を使用姿勢に切換えた状態において、かみそりヘッド（２）の本体部（１）に対する変位を規制し、かつ、かみそりヘッド（２）の切断刃部（１１）を保護する保護規制体（３）を備えていることを特徴とする電気かみそり。
【請求項２】
保護規制体が、不使用時にかみそりヘッド（２）の切断刃部（１１）の外面を覆う保護キャップ（３）からなり、
切断刃部（１１）を覆う保護キャップ（３）を本体部（１）で受止めて、かみそりヘッド（２）の本体部（１）に対する変位を規制する請求項１に記載の電気かみそり。
【請求項３】
保護キャップ（３）が本体部（１）に設けた装着部（５１）に装着されて、かみそりヘッド（２）を変位不能に保持している請求項２に記載の電気かみそり。
【請求項４】
保護キャップ（３）がかみそりヘッド（２）に設けた装着部（８１）に装着されて、本体部（１）で変位不能に保持してある請求項２に記載の電気かみそり。
【請求項５】
本体部（１）の装着部（５１）に配置したきわ剃りユニット（６）が、待機姿勢と、本体部（１）の外面に突出する使用姿勢との間で揺動できるよう支軸（５２）で支持されており、
保護キャップ（３）ときわ剃りユニット（６）との間に、保護キャップ（３）の装着動作に連動してきわ剃りユニット（６）を使用姿勢に揺動操作する連動機構が設けてある請求項２から４のいずれかひとつに記載の電気かみそり。
【請求項６】
連動機構が、保護キャップ（３）の側に設けたラック（７８）と、きわ剃りユニット（６）の支軸（５２）に固定したピニオン（７７）とで構成されており、
切断刃部（１１）を保護キャップ（３）で覆う過程で、きわ剃りユニット（６）を使用姿勢に切換え操作できる請求項５に記載の電気かみそり。
【請求項７】
保護キャップ（３）の前後壁（６４・６５）のそれぞれに、本体部（１）の装着部（５１）に係合する門形の規制枠（６６）が形成されており、
前後の規制枠（６６）のいずれか一方に、ピニオン（７７）と係合するラック（７８）が形成されており、
保護キャップ（３）の切断刃部（１１）に対する装着姿勢を前後逆向きにすることにより、きわ剃りユニット（６）を使用姿勢に保持し、あるいはきわ剃りユニット（６）を待機姿勢に保持できる請求項６に記載の電気かみそり。
【請求項８】
本体部（１）の上方に突出する装着部（５１）にきわ剃りユニット（６）が配置されており、
装着部（５１）の左右側壁（５１ａ・５１ｂ）で規制枠（６６）の左右内壁（６６ａ・６６ｂ）を受止めて、かみそりヘッド（２）の変位を規制している請求項７に記載の電気かみそり。
【請求項９】
装着部（５１）の上壁（５１ｃ）で規制枠（６６）の上内壁（６６ｃ）を受止めて、かみそりヘッド（２）の本体部（１）側への沈込みを規制している請求項８に記載の電気かみそり。
【請求項１０】
本体部（１）から突出する装着部（５１）の左右にガイド溝（６０）が形成され、規制枠（６６）にガイド溝（６０）と係合する脚片（７４）が設けられており、
切断刃部（１１）の外面を保護キャップ（３）で覆った状態において、かみそりヘッド（２）の前後傾動を装着部（５１）で保護キャップ（３）を介して規制している請求項８または９に記載の電気かみそり。
【請求項１１】
本体部（１）の装着部（５１）の近傍に、モーター（１４）への通電を制御するスイッチ（７６）が配置されており、
前記スイッチ（７６）を切換え操作する操作突起（７５）が保護キャップ（３）に設けられており、
保護キャップ（３）を装着部（５１）に装着する過程で、前記スイッチ（７６）を操作突起（７５）で切換操作してモーター（１４）を起動できる請求項３から１０のいずれかひとつに記載の電気かみそり。
【請求項１２】
かみそりヘッド（２）が本体部（１）に対して少なくとも左右傾動、および上下動可能に支持されており、本体部（１）の周囲にきわ剃りユニット（６）が配置してある電気かみそりであって、
きわ剃りユニット（６）を待機姿勢から使用姿勢に切換えた状態において、かみそりヘッド（２）側の往復動力が伝動機構を介してきわ剃りユニット（６）の可動刃（４８）に伝動されるように構成されており、
きわ剃りユニット（６）をユニット操作体（８３）で使用姿勢に切換えた状態において、かみそりヘッド（２）の本体部（１）に対する変位を規制する規制構造を備えていることを特徴とする電気かみそり。
【請求項１３】
規制構造が、上下方向に長い規制体（８４）と、規制体（８４）に対して上下に相対スライド自在な規制ガイド（８６）とで構成されて、その一方がユニット操作体（８３）の側に、他方がかみそりヘッド（２）の側に設けられており、
きわ剃りユニット（６）をユニット操作体（８３）で使用姿勢に切換えた状態において、規制体（８４）と規制ガイド（８６）とが係合してかみそりヘッド（２）の左右傾動を規制しながら、かみそりヘッド（２）の上下動は許すように構成してある請求項１２に記載の電気かみそり。
【請求項１４】
ユニット操作体が、本体部（１）で上下スライド可能に支持される操作ノブ（８３）で構成されており、
きわ剃りユニット（６）を操作ノブ（８３）で使用姿勢に切換え操作した状態において、操作ノブ（８３）と一体に設けた規制体（８４）が規制ガイド（８６）と係合して、かみそりヘッド（２）の左右傾動を規制する請求項１３に記載の電気かみそり。
【請求項１５】
かみそりヘッド（２）の本体部（１）に対する上下動ストローク（Ｈ１）が、操作ノブ（８３）の上下方向のスライドストローク（Ｈ２）より小さく設定してある請求項１４に記載の電気かみそり。
【請求項１６】
きわ剃りユニット（６）を操作ノブ（８３）で使用姿勢に切換え操作した状態において、規制体（８４）で規制ガイド（８６）を引寄せ操作して、伝動機構のきわ剃りユニット用の駆動軸（３８）と受動アーム（４９）との間の伝動効率を向上する請求項１４または１５に記載の電気かみそり。
【請求項１７】
規制構造が、棒状の規制体（８４）と、規制体（８４）に対して上下に相対スライド自在な状態で外嵌する規制ガイド（８６）とで構成されて、その一方が操作ノブ（８３）の側に、他方がかみそりヘッド（２）の側に設けられており、
きわ剃りユニット（６）を使用姿勢に切換えた状態において、規制体（８４）と規制ガイド（８６）とが係合してかみそりヘッド（２）の左右傾動および前後傾動を規制できる請求項１３から１６のいずれかひとつに記載の電気かみそり。
【請求項１８】
規制体（８４）および規制ガイド（８６）の少なくともいずれか一方の係合始端に係合案内面（８７）が形成してある請求項１３から１７のいずれかひとつに記載の電気かみそり。
【発明の詳細な説明】
【技術分野】
【０００１】
本発明は、かみそりヘッドが本体部に対して少なくとも左右傾動でき、さらにきわ剃り刃を備えている電気かみそりに関する。
【背景技術】
【０００２】
きわ剃り刃を備えている電気かみそりにおいては、きわ剃りユニットを使用姿勢に切換えた状態でのみ往復動力をきわ剃り刃の可動刃に伝動して、動力の無駄な消費を避けており、この種の伝動構造は例えば特許文献１に見ることができる。詳しくは、かみそりヘッドの側に、内刃駆動軸に連動して往復動する逆Ｌ字状の伝動アームを設け、きわ剃りユニットの側に、伝動アームの動力を中継して可動刃に伝動する駆動アームを設けている。きわ剃りユニットを使用姿勢に切換えると、駆動アームの下端に設けた受動ピンが上昇して伝動アームの下端に設けた駆動溝と係合し、伝動アームの往復動作を受継いで可動刃に伝動できる。
【０００３】
本発明においては、きわ剃りユニットの使用時に、かみそりヘッドが本体部に対して左右傾動し、あるいは前後傾動するのを規制して、往復動力の伝動効率を向上するが、この種の電気かみそりは特許文献２に公知である。そこでは、外刃を支持する刃枠を本体部に装着される第１刃枠と、同枠で左右傾動と上下スライド可能に支持された第２刃枠とで構成している。トリマー刃をスライド操作片で使用姿勢に切換えた状態では、揺動防止片が第２刃枠の上端内面を受止めて、第２刃枠の左右傾動と上下スライドとを規制できる。揺動防止片は、トリマー刃を支持するホルダーに設けてあり、スライド操作片およびトリマー刃の上下スライドに同行して昇降移動できる。多くの場合、スライド操作片は不使用位置、および使用位置において節度構造によって位置保持されている。
【先行技術文献】
【特許文献】
【０００４】
【特許文献１】特開２０１０−０７５２２９号公報（段落番号００４６、図１１）
【特許文献１】特開２００５−３０４７９３号公報（段落番号００１６第５文、図３）
【発明の概要】
【発明が解決しようとする課題】
【０００５】
特許文献２の電気かみそりによれば、きわ剃りユニットの使用時に、かみそりヘッドが本体部に対して左右傾動し、あるいは前後傾動するのを揺動防止片で規制できる。そのため、この種の傾動規制構造を備えていない電気かみそりに比べると、メイン内刃の往復動力の伝動をより確実に行って、動力の伝動効率を向上できる。しかし、第２刃枠に同枠を押下げる向きの外力が作用する場合には、揺動防止片を介してホルダーおよびスライド操作片に押下げ力が作用するため、きわ剃りユニットの全体が節度構造の位置保持力に抗して不使用姿勢に切換わってしまうことがある。こうした場合には、きわ剃りユニットを再び使用姿勢に切換える必要があり、ユーザーにとって煩わしい操作となる。また、揺動防止片が往復動するホルダーと一体化してあるため、きわ剃りユニットの使用時に、揺動防止片が第２刃枠と擦れあって摩擦抵抗を受けるため、その分だけ動力損を生じる不利と、摩擦に伴う騒音を発生する不利とがある。
【０００６】
本発明の目的は、きわ剃りユニットの使用時に、かみそりヘッドが本体部に対して左右傾動するのを規制して、可動刃に対する動力の伝動を効率よく行なうことができる電気かみそりを提供することにある。
【課題を解決するための手段】
【０００７】
本発明に係る電気かみそりは、かみそりヘッド２が本体部１に対して少なくとも左右傾動可能に支持されており、本体部１の周囲にきわ剃りユニット６が配置してある電気かみそりを対象とする。きわ剃りユニット６を待機姿勢から使用姿勢に変位させた状態において、かみそりヘッド２側の往復動力が伝動機構を介してきわ剃りユニット６の可動刃４８に伝動されるように構成してある。きわ剃りユニット６を使用姿勢に切換えた状態において、かみそりヘッド２の本体部１に対する変位を規制し、かつ、かみそりヘッド２の切断刃部１１を保護する保護規制体３を備えていることを特徴とする。
【０００８】
図１に示すように保護規制体は、不使用時にかみそりヘッド２の切断刃部１１の外面を覆う保護キャップ３からなる。切断刃部１１を覆う保護キャップ３を本体部１で受止めて、かみそりヘッド２の本体部１に対する変位を規制する。
【０００９】
保護キャップ３は本体部１に設けた装着部５１に装着されて、かみそりヘッド２を変位不能に保持する構造とすることができる。
【００１０】
図１１に示すように、保護キャップ３はかみそりヘッド２に設けた装着部８１に装着されて、本体部１で変位不能に保持する構造とすることができる。
【００１１】
本体部１の装着部５１に配置したきわ剃りユニット６は、待機姿勢と、本体部１の外面に突出する使用姿勢との間で揺動できるよう支軸５２で支持する。保護キャップ３ときわ剃りユニット６との間に、保護キャップ３の装着動作に連動してきわ剃りユニット６を使用姿勢に揺動操作する連動機構を設ける。
【００１２】
図６に示すように、連動機構は、保護キャップ３の側に設けたラック７８と、きわ剃りユニット６の支軸５２に固定したピニオン７７とで構成し、切断刃部１１を保護キャップ３で覆う過程で、きわ剃りユニット６を使用姿勢に切換え操作する。
【００１３】
図９および図１０に示すように、保護キャップ３の前後壁６４・６５のそれぞれに、本体部１の装着部５１に係合する門形の規制枠６６を形成する。前後の規制枠６６のいずれか一方に、ピニオン７７と係合するラック７８を形成する。保護キャップ３の切断刃部１１に対する装着姿勢を前後逆向きにすることにより、きわ剃りユニット６を使用姿勢に保持し、あるいはきわ剃りユニット６を待機姿勢に保持できるようにする。
【００１４】
本体部１の上方に突出する装着部５１にきわ剃りユニット６を配置する。図８に示すように、装着部５１の左右側壁５１ａ・５１ｂで規制枠６６の左右内壁６６ａ・６６ｂを受止めて、かみそりヘッド２の変位を規制する。
【００１５】
装着部５１の上壁５１ｃで規制枠６６の上内壁６６ｃを受止めて、かみそりヘッド２の本体部１側への沈込みを規制する。
【００１６】
図１１に示すように、本体部１から突出する装着部５１の左右にガイド溝６０を形成し、規制枠６６にガイド溝６０と係合する脚片７４を設ける。切断刃部１１の外面を保護キャップ３で覆った状態において、かみそりヘッド２の前後傾動を装着部５１で保護キャップ３を介して規制する。
【００１７】
本体部１の装着部５１の近傍に、モーター１４への通電を制御するスイッチ７６を配置する。スイッチ７６を切換え操作する操作突起７５を保護キャップ３に設ける。保護キャップ３を装着部５１に装着する過程で、前記スイッチ７６を操作突起７５で切換操作してモーター１４を起動できるようにする。
【００１８】
本発明に係る別の電気かみそりは、かみそりヘッド２が本体部１に対して少なくとも左右傾動、および上下動可能に支持されており、本体部１の周囲にきわ剃りユニット６が配置してある電気かみそりを対象とする。きわ剃りユニット６を待機姿勢から使用姿勢に切換えた状態において、かみそりヘッド２側の往復動力が伝動機構を介してきわ剃りユニット６の可動刃４８に伝動されるように構成してある。きわ剃りユニット６をユニット操作体８３で使用姿勢に切換えた状態において、かみそりヘッド２の本体部１に対する変位を規制する規制構造を備えていることを特徴とする。
【００１９】
図１２に示すように規制構造は、上下方向に長い規制体８４と、規制体８４に対して上下に相対スライド自在な規制ガイド８６とで構成されて、その一方がユニット操作体８３の側に、他方がかみそりヘッド２の側に設けてある。きわ剃りユニット６をユニット操作体８３で使用姿勢に切換えた状態において、規制体８４と規制ガイド８６とが係合してかみそりヘッド２の左右傾動を規制しながら、かみそりヘッド２の上下動は許すように構成する。
【００２０】
図１２に示すように、ユニット操作体は、本体部１で上下スライド可能に支持される操作ノブ８３で構成する。きわ剃りユニット６を操作ノブ８３で使用姿勢に切換え操作した状態において、操作ノブ８３と一体に設けた規制体８４が規制ガイド８６と係合して、かみそりヘッド２の左右傾動を規制する（図１４参照）。操作ノブ８３と一体に設けた規制体８４とは、好ましくは規制体８４が操作ノブ８３と一体に成形してある場合であるが、独立部品として形成した規制体８４を操作ノブ８３に対して、係合固定し、溶着固定し、あるいは締結固定するなどにより一体化してある場合を含むこととする。
【００２１】
図１２に示すように、かみそりヘッド２の本体部１に対する上下動ストロークＨ１を、操作ノブ８３の上下方向のスライドストロークＨ２より小さく設定する。
【００２２】
きわ剃りユニット６を操作ノブ８３で使用姿勢に切換え操作した状態において、規制体８４で規制ガイド８６を引寄せ操作して、伝動機構のきわ剃りユニット用の駆動軸３８と受動アーム４９との間のとの間の伝動効率を向上する。例えば、図１２に示す規制体の場合には、規制体８４の係合軸８４ａの中心軸を規制ガイド８６の穴中心軸に対して、きわ剃りユニット６の側（後側）へ僅かに位置ずれさせて、規制体８４で規制ガイド８６を引寄せ操作できるようにしている。
【００２３】
規制構造は、棒状の規制体８４と、規制体８４に対して上下に相対スライド自在な状態で外嵌する規制ガイド８６とで構成して、その一方を操作ノブ８３の側に、他方をかみそりヘッド２の側に設ける。きわ剃りユニット６を使用姿勢に切換えた状態において、規制体８４と規制ガイド８６とが係合してかみそりヘッド２の左右傾動および前後傾動を規制する。
【００２４】
規制体８４および規制ガイド８６の少なくともいずれか一方の係合始端に係合案内面８７を形成する。
【発明の効果】
【００２５】
本発明では、かみそりヘッド２が本体部１に対して少なくとも左右傾動可能に支持してある電気かみそりにおいて、きわ剃りユニット６を使用姿勢に切換えた状態において、かみそりヘッド２の本体部１に対する変位を保護規制体３で規制できるようにした。同時に、かみそりヘッド２の切断刃部１１を保護規制体３で覆って、切断刃部１１を保護できるようにした。このように、本発明の電気かみそりにおいては、きわ剃りユニット６の使用時に、かみそりヘッド２が本体部１に対して左右傾動するのを保護規制体３で規制するので、かみそりヘッド２ときわ剃りユニット６との間の動力伝動部における伝動損を抑止できる。従ってきわ剃りユニット６の可動刃４８に対する往復動力の伝動を効率よく行なうことができる。また、切断刃部１１を保護規制体３で覆って保護するので、電気かみそりが床面に落下するなど、保護規制体３に大きな外力が作用することがあったとしても、切断刃部１１を構成する固定刃２３・２５・２７・２９などが破損するのを確実に防止できる。
【００２６】
保護規制体を切断刃部１１の外面を覆う保護キャップ３で構成すると、保護キャップ３の一部を本体部１で受止めてかみそりヘッド２の本体部１に対する変位を規制することができるので、別途、保護規制体を付加する場合に比べて、電気かみそりの全体コストを削減できる。また、かみそりヘッド２が左右傾動しようとするのを、剛性に優れた本体部１で保護キャップ３を介して規制するので、左右傾動する余地のない状態でかみそりヘッド２を確実に固定保持でき、きわ剃りユニット６の可動刃４８に対する往復動力の伝動をさらに効率よく行なうことができる。さらに、ユーザーの明確な意図がない限り、保護キャップ３の装着状態を維持し続けることができるので、電気かみそりが床面に落下するような場合であっても、切断刃部１１を保護キャップ３をで確実に保護することができる。
【００２７】
保護キャップ３を本体部１に設けた装着部５１に装着して、かみそりヘッド２を変位不能に保持する構造によれば、かみそりヘッド２の全体を保護キャップ３ですっぽりと覆って、切断刃部１１を含むかみそりヘッド２の全体を保護できるので、落下に伴う破損をさらに確実に防止できる。
【００２８】
保護キャップ３をかみそりヘッド２に設けた装着部８１に装着して、本体部１で変位不能に保持する構造によれば、切断刃部１１などのかみそりヘッド２の弱い部分を保護キャップ３で覆って保護すればよく、その分だけ保護キャップ３の構造を簡素化し小形化することができる。
【００２９】
保護キャップ３ときわ剃りユニット６との間に連動機構を設けると、保護キャップ３を装着部５１に装着するだけできわ剃りユニット６を使用姿勢に切換えて、その状態を保持できる。従って、きわ剃りユニット６を使用する際に、かみそりヘッド２の左右傾動を保護キャップ３で規制するのと同時に、きわ剃りユニット６を使用姿勢に切換えることができ、ユーザーの手間を省くことができる。
【００３０】
保護キャップ３に設けたラック７８と、きわ剃りユニット６の支軸５２に固定したピニオン７７で連動機構を構成すると、ラック７８の往復動作をピニオン７７で回転動作に変換して、きわ剃りユニット６をより確実に待機姿勢から使用姿勢に切換えることができる。ラック７８のギヤ歯がピニオン７７のギヤ歯と噛合った後は、両者７７・７８は確動機構として機能するからである。また、きわ剃りユニット６が使用姿勢に切換えられた状態では、ラック７８とピニオン７７とが互いに噛合っているので、ユーザーが明確な意図をもって保護キャップ３を取外さない限りは、きわ剃りユニット６が待機姿勢に復帰するのを確実に防止できる。
【００３１】
前後壁６４・６５のそれぞれに門形の規制枠６６を形成した保護キャップ３によれば、保護キャップ３の装着姿勢を前後逆向きにすることにより、１個の保護キャップ３のみで、きわ剃りユニット６を使用姿勢に保持し、あるいは待機姿勢に保持できる。従って、きわ剃りユニット６を待機姿勢に保持しながら切断刃部１１を保護するキャップと、きわ剃りユニット６を使用姿勢に保持しながら切断刃部１１を保護するキャップとの２種類の保護キャップを設ける場合に比べて、電気かみそりの全体コストを削減できる。
【００３２】
本体部１の上方に突出する装着部５１に規制枠６６を装着した状態において、装着部５１の左右側壁５１ａ・５１ｂで規制枠６６の左右内壁６６ａ・６６ｂを受止めるようにすると、保護キャップ３がかみそりヘッド２とともに左右傾動するのをさらに確実に防止できる。本体部１の上方に突出する装着部５１は、本体部１と同等の剛性を備えており、その左右側壁５１ａ・５１ｂの上下長さを充分に大きなものとして、規制枠６６の左右内壁６６ａ・６６ｂを強固に支持できるからである。また、本体部１の上方に突出する装着部５１を利用してきわ剃りユニット６を配置するので、使用姿勢にしたきわ剃りユニット６を電気かみそりの上部に位置させて、その使い勝手を向上することができる。
【００３３】
本体部１の装着部５１に規制枠６６を装着した状態において、装着部５１の上壁５１ｃで規制枠６６の上内壁６６ｃを受止めるようにすると、保護キャップ３がかみそりヘッド２とともに本体部１側へ沈込むのをさらに確実に防止できる。規制枠６６の上内壁６６ｃの左右長さを充分に大きなものとして、規制枠６６の上内壁６６ｃを強固に支持できるからである。
【００３４】
装着部５１の左右にガイド溝６０を形成し、このガイド溝６０に規制枠６６の脚片７４を係合して切断刃部１１の外面を保護キャップ３で覆うようにすると、かみそりヘッド２の前後傾動を装着部５１で保護キャップ３を介して規制することができる。従って、きわ剃りユニット６を使用するとき、伝動機構のきわ剃りユニット用の駆動軸３８と受動アーム４９との間の前後方向の遊び隙間を小さくして、第３駆動軸３８と受動アーム４９との間の動力の伝動をさらに効率よく行なうことができる。
【００３５】
装着部５１の近傍にスイッチ７６を配置し、保護キャップ３に先のスイッチ７６を切換え操作する操作突起７５を設けておくと、保護キャップ３を装着部５１に装着する過程で、前記スイッチ７６を操作突起７５で切換操作してモーター１４を起動することができる。従って、保護キャップ３を装着部５１に装着するだけで、きわ剃りユニット６を使用姿勢に切換え、さらに駆動源であるモーター１４を起動して、きわ剃りユニット６を使用可能な状態にして、ユーザーの手間を省くことができる。
【００３６】
本発明に係る別の電気かみそりでは、かみそりヘッド２が本体部１に対して少なくとも左右傾動、および上下動可能に支持してある電気かみそりにおいて、きわ剃りユニット６を使用姿勢に切換えた状態において、かみそりヘッド２の本体部１に対する変位を規制構造で規制できるようにした。このように、本発明の電気かみそりにおいては、きわ剃りユニット６の使用時に、かみそりヘッド２が本体部１に対して左右傾動するのを規制構造で規制するので、かみそりヘッド２ときわ剃りユニット６との間の動力伝動部における動力損を抑止でき、従ってきわ剃りユニット６の可動刃４８に対する往復動力の伝動を効率よく行なうことができる。
【００３７】
上下方向に長い規制体８４と規制ガイド８６とで構成した規制構造によれば、使用時にきわ剃りユニット６をユニット操作体８３で使用姿勢に切換えるだけで、前記両者８４・８６を互いに係合させて、かみそりヘッド２の左右傾動を自動的に規制できる。つまり、きわ剃りユニット６を使用するときは、かみそりヘッド２の左右傾動を確実に規制して、きわ剃りユニット６の可動刃４８に対する往復動力の伝動をさらに効率よく行なうことができる。また、規制構造をかみそりヘッド２の左右傾動を規制しながら、同ヘッド２の上下動を許すように構成するので、切断刃部１１によるひげ切断と、きわ剃りユニット６によるひげ切断を併用する場合であっても、切断刃部１１に作用する無理な外力を逃がすことができる。
【００３８】
上下スライドする操作ノブ８３できわ剃りユニット６を使用姿勢に切換えた状態において、操作ノブ８３と一体に設けた規制体８４をかみそりヘッド２側の規制ガイド８６に係合させると、規制体８４の規制ガイド８６に対する係合動作をより的確に行なうことができる。これは、本体部１で安定した状態で支持した操作ノブ８３に、上下に長い規制体８４を一体に設けるので、常に一定位置で上下スライドする規制体８４を係合基準にして、規制体８４を規制ガイド８６に容易に係合できるからである。
【００３９】
かみそりヘッド２の本体部１に対する上下動ストロークＨ１を、操作ノブ８３の上下方向のスライドストロークＨ２より小さく設定すると、切断刃部１１によってひげ剃りを行うとき、上下動するかみそりヘッド２が規制体８４、あるいは規制ガイド８６と接当干渉するのを防止できる。従って、切断刃部１１によるひげ剃りを円滑に行えるうえ、肌面に過大な圧力が作用して肌が荒れるのを防止できる。
【００４０】
きわ剃りユニット６を操作ノブ８３で使用姿勢に切換え操作した状態において、同ユニット６、または操作ノブ８３に設けた規制体８４で規制ガイド８６を引寄せ操作すると、かみそりヘッド２の全体をきわ剃りユニット６に接近させた状態で傾動不能に拘束できる。従って、伝動機構のきわ剃りユニット用の駆動軸３８と受動アーム４９との間のがたつきを抑止して、本体部１ときわ剃りユニット６との間の往復動力の伝動効率をさらに向上できる。
【００４１】
棒状の規制体８４と、規制体８４に外嵌する規制ガイド８６とで規制構造を構成すると、きわ剃りユニット６を使用姿勢に切換え、規制体８４と規制ガイド８６とが係合した状態において、かみそりヘッド２の左右傾動に加えて、前後傾動をも同時に規制することができる。規制体８４に外嵌する規制ガイド８６で、規制体８４の全方位方向への変位を規制できるからである。
【００４２】
規制体８４および規制ガイド８６の少なくともいずれか一方の係合始端に係合案内面８７が形成してあると、規制体８４と規制ガイド８６の中心位置がずれているような場合にも、係合案内面８７で位置ずれを矯正しながら規制体８４と規制ガイド８６を係合できる。従って、かみそりヘッド２が中立位置から僅かに左右傾動している状態であっても、規制体８４と規制ガイド８６を支障なく係合させて、かみそりヘッド２の左右傾動を確実に規制できる。
【図面の簡単な説明】
【００４３】
【図１】実施例１に係る電気かみそりの要部のみの背面図である。
【図２】実施例１に係る電気かみそりの正面図である。
【図３】実施例１に係るかみそりヘッドの縦断正面図である。
【図４】実施例１に係るかみそりヘッドの分解断面図である。
【図５】実施例１に係るかみそりヘッドの縦断側面図である。
【図６】図１におけるＡ−Ａ線断面図である。
【図７】図６におけるＢ−Ｂ線断面図である。
【図８】実施例１に係る保護キャップを分離した状態の背面図である。
【図９】実施例２に係る保護キャップの縦断側面図である。
【図１０】実施例２に係る保護キャップの横断平面図である。
【図１１】実施例３に係る保護キャップを分離した状態の背面図である。
【図１２】実施例４に係る傾動規制構造を示す縦断側面図である。
【図１３】実施例４に係る首振り構造を示す縦断正面図である。
【図１４】実施例４に係る傾動規制構造の規制状態を示す縦断側面図である。
【図１５】実施例５に係る傾動規制構造を示す縦断側面図である。
【図１６】実施例６に係る傾動規制構造を示す縦断側面図である。
【図１７】実施例６に係る傾動規制構造の規制状態を示す縦断側面図である。
【図１８】実施例７に係る傾動規制構造を示す縦断側面図である。
【図１９】実施例７に係る傾動規制構造の規制状態を示す縦断側面図である。
【図２０】実施例８に係る傾動規制構造を示す縦断側面図である。
【図２１】実施例８に係る傾動規制構造の規制状態を示す縦断側面図である。
【発明を実施するための形態】
【００４４】
（実施例１）  図１ないし図８は、本発明に係る電気かみそりの実施例を示す。なお、本発明における前後、左右、上下とは、図２および図４に示す交差矢印と、各矢印の近傍に表記した前後、左右、上下の表示に従う。図２において電気かみそりは、グリップを兼ねる本体部１と、本体部１に組込まれる作動ユニットなどで構成してあり、不使用状態において作動ユニットのかみそりヘッド２に装着される保護キャップ（保護規制体）３（図１参照）を備えている。本体部１の前面のスイッチパネルにはモーター起動用のスイッチノブ（スイッチ操作具）４と、電気かみそりの運転状態を表示する表示部５が設けてある。本体部１の後面にはきわ剃りユニット６が設けてある。きわ剃りユニット６は、主としてもみあげ部分や髪の生え際を切揃える際に使用するが、例えばあごに生えた長毛やくせ毛を切断する際にも使用することができる。
【００４５】
作動ユニットは、その下半側を占める電装品ユニットと、電装品ユニットの上部に設けられるかみそりヘッド２とで構成してある。電装品ユニットは、内ケース９に回路基板と２次電池７などを組込んで構成してあり、回路基板には、先のスイッチノブ４で切換え操作されるスイッチ８や、制御回路を構成する電子部品、および表示部５の光源となる４個のＬＥＤなどが実装してある。スイッチノブ４を上向きにスライドすると、スイッチ８をオン状態に切換えてモーター１４を起動できる。
【００４６】
図３および図４に示すようにかみそりヘッド２は、ヘッドベース１３と、ヘッド支持体１０と、４個の切断刃で構成される切断刃部１１とヘッド支持体１０に対して着脱される固定刃ホルダー１２などで構成してある。ヘッド支持体１０は、振動子ケースを兼ねるヘッドベース１３に固定されており、ヘッドベース１３はその下面に固定したモーター１４およびモーターホルダー１５と共に、首振り機構で左右傾動可能に、かつ上下動自在に支持してある。この実施例では、モーターホルダー１５の左右に設けた遊動脚１７を内ケース９の環状枠９ａで支持し、さらにモーターホルダー１５と内ケース９との間に圧縮コイルばねからなる遊動ばね１８を配置して、作動ユニットの全体を左右傾動可能に、かつ上下動自在に支持した。遊動脚１７の下端には、環状枠９ａで受止められる係合爪１７ａが設けてある。モーター１４および回路基板を含む電装品ユニットは、ヘッドベース１３と内ケース９との間に設けたシール体１６で密封してある（図３参照）。首振り機構としては、左右傾動のみ可能な構造であってもよい。
【００４７】
切断刃部１１を構成する各切断刃は、粗剃り用の第１切断刃１９と、仕上げ剃り用の第２切断刃２０と、粗剃り用の第３切断刃２１と、仕上げ剃り用の第４切断刃２２とからなり、かみそりヘッド２の後側から前側へ向かって記載順に配置してある。粗剃り用の第１切断刃１９と第３切断刃２１は、主に長毛やくせ髭を切断するために設けられており、いずれも固定刃２３・２７および可動刃２４・２８のそれぞれがスリット刃で形成してある。仕上げ剃り用の第２切断刃２０と第４切断刃２２は、短毛を仕上げ切断するために設けられており、いずれも固定刃２５・２９が網刃で形成され、可動刃２６・３０がスリット刃で形成してある。
【００４８】
かみそりヘッド２に設けた各切断刃１９〜２２の可動刃２４・２６・２８・３０を駆動するために、モーター１４と各可動刃２４・２６・２８・３０との間に、モーター１４の回転動力を往復動力に変換して各可動刃２４・２６・２８・３０に伝動する駆動構造を設けている。図３に示すように駆動構造は、モーター１４の出力軸に固定される偏心カム３１と、偏心カム３１で互いに逆向きに駆動される２個の振動子３２と、各振動子３２・３２の往復動力を各可動刃２４・２６・２８・３０に伝動する４個の駆動軸などで構成する。
【００４９】
駆動軸は、第２切断刃２０の可動刃２６と第４切断刃２２の可動刃３０とを駆動する第１駆動軸３５・３７と、第１切断刃１９の可動刃２４と第３切断刃２１の可動刃２８とを駆動する第２駆動軸３４・３６とからなる。第１駆動軸３５・３７は、振動子３２・３２と一体に成形されており、第２駆動軸３４・３６は第１駆動軸３５・３７に固定してある。後側の第２駆動軸３４には、きわ剃りユニット６に往復動力を伝動する第３駆動軸（きわ剃りユニット用の駆動軸）３８が一体に設けてある（図４参照）。第３駆動軸３８は、背面側の第２駆動軸３４から後向きに連出されており、その下端にコ字状の連結片３９が一体に形成してある。第１駆動軸３５・３７の内部には、可動刃２６・３０を押し上げ付勢する内刃ばね４０が配置してある。図３において符号４１は固定刃ホルダー１２の装着状態をロック保持する爪をロック解除操作するための解除ボタンである。
【００５０】
ヘッド支持体１０はヘッドベース１３の上部周面を囲む枠体からなり、その上面がカバー４３で覆われている。カバー４３には、先の第１駆動軸３５・３７を突出させるための出力開口が形成してあり（図３参照）、この開口と第１駆動軸３５・３７との間を振動子パッキン４４で塞いで、毛屑などがヘッドベース１３の内部に入り込むのを防止している。カバー４３の上面と固定刃ホルダー１２とで囲まれる空間が毛屑収容空間となる。
【００５１】
図５において、きわ剃りユニット６は、きわ剃りケース４６の内部にバリカン刃構造の固定刃４７および可動刃４８と、受動アーム４９とを組込んで構成してある。きわ剃りユニット６は、本体部１の背面上部から上方へ突出された四角形状の装着部５１の内部に配置されており、その上部左右を一対の支軸５２で支持することにより、図８に示す待機位置と、図５および図６に示す使用位置との間を揺動できる。不使用時におけるきわ剃りユニット６は、一方の支軸５２の周囲に配置したキックばね５３（図１参照）で待機位置へ向かって揺動付勢されている。受動アーム４９の端部には、第３駆動軸（きわ剃りユニット用の駆動軸）３８の連結片３９と係合して往復動力を受継ぐ受動片５４が一体に設けてある。きわ剃りユニット６が待機姿勢から使用姿勢に切換わった状態では、かみそりヘッド２側の往復動力が、第３駆動軸３８と受動アーム４９とからなる伝動機構を介して可動刃４８に伝動される。なお、伝動機構は、きわ剃りユニット６が使用位置にある場合はもちろん、待機位置にある場合にも往復動力がかみそりヘッド２側からきわ剃りユニット６へ伝動される、常時駆動型の伝動構造であってもよい。
【００５２】
装着部５１の後面には、本体部１の外面に沿う状態できわ剃りユニット６を収容する第１凹部５５が形成してあり、装着部５１の前面には、待機状態の受動アーム４９を収容する第２凹部５６が形成してある。また、装着部５１の左右両側には一対の係合ボス５８が形成され、左右の係合ボス５８と装着部５１との間に保持壁５９が横向きに膨出してある。保持壁５９の内部には上下方向のガイド溝６０と空間６１とが形成してあり（図７参照）、片側の空間６１内に後述するピニオン７７が収容されて、その周面の一部がガイド溝６０に臨ませてある（図６参照）。
【００５３】
以上のように左右傾動が可能な首振り機構を備えた電気かみそりにおいて、第３駆動軸（きわ剃りユニット用の駆動軸）３８から受動アーム４９への往復動力の伝動効率が大きく低下する要因は、例えば、きわ剃りユニット６の切断刃に毛束が挟まれて大きな負荷が作用するとき、負荷の反作用でかみそりヘッド２のみが左右動して、きわ剃りユニット６の可動刃４８を駆動できなくなるからである。また、かみそりヘッド２の左右動は、きわ剃りユニット６の切断刃に対する負荷が小さい場合でも、少なからず生じており、第３駆動軸３８から受動アーム４９への往復動力の伝動効率が低下するのを避けられない。
【００５４】
上記のような、連結片３９と受動アーム４９との間の往復動力の伝動ロスを解消するために、きわ剃りユニット６を使用する際に、かみそりヘッド２が本体部１に対して左右傾動するのを規制できるようにしている。この実施例では、保護キャップ３を利用してかみそりヘッド２を傾動不能に固定保持した。保護キャップ３は、前壁６４、後壁６５、左右壁、上壁を備えたバスタブを逆さまにした構造のプラスチック成形品からなり、全体が透明なプラスチック材で形成してある。
【００５５】
保護キャップ３の後壁６５の左右中央部には、先の装着部５１に外嵌する門形の規制枠６６が形成してあり、さらに、規制枠６６の左右に係合ボス５８と係合する一対の係合爪６７が下向きに突出してある。また、左右壁と上壁とが隣接する隅部には、かみそりヘッド２の前後動を規制する第１規制リブ６８が張出してある（図１参照）。同様に、前壁６４と上壁とが隣接する隅部の左右２個所には、第１規制リブ６８と協同してかみそりヘッド２を後向きに引寄せ操作する第２規制リブ６９が形成してある（図５参照）。保護キャップ３をかみそりヘッド２に装着した状態において、第１規制リブ６８が固定刃ホルダー１２の横上隅に形成した規制溝７０と係合するのに対して、第２規制リブ６９は固定刃ホルダー１２の前壁に接当して、かみそりヘッド２の前方への移動を規制する。保護キャップ３の左右壁には、解除ボタン４１の周縁に沿う切欠部７１が形成してある。
【００５６】
図１に示すように、保護キャップ３は、従来の保護キャップと同様にかみそりヘッド２に被せつけて切断刃部１１を保護するが、装着状態において、門形の規制枠６６を装着部５１に係合することにより、かみそりヘッド２の傾動および移動を規制する。詳しくは、図８に示すように装着部５１の左側壁５１ａおよび右側壁５１ｂで、規制枠６６の左内壁６６ａおよび右内壁６６ｂを受止めることにより、かみそりヘッド２が左右に傾動するのを規制している。また、装着部５１の上壁５１ｃで規制枠６６の上内壁６６ｃを受止めることにより、かみそりヘッド２が本体部１側へ沈込むのを規制している。さらに、係合爪６７が係合ボス５８の内部の係合段部６２と係合して、保護キャップ３が装着部５１から上向きに抜出るのを規制している。加えて、規制枠６６の脚片７４がガイド溝６０と係合し、第１規制リブ６８が規制溝７０と係合し（図１参照）、同時に第２規制リブ６９が固定刃ホルダー１２の前面を受止めて（図５参照）、かみそりヘッド２が前側へ傾動するのを規制している。
【００５７】
保護キャップ３の装着部５１に対する装着動作を利用して、きわ剃りユニット６を待機姿勢から使用姿勢に切換えるために、保護キャップ３ときわ剃りユニット６との間に連動機構を設けている。さらに、保護キャップ３の装着動作を利用してモーター１４を起動するために、規制枠６６の一方の脚片７４の下端に操作突起７５を設け、同突起７５で本体部１に設けたスイッチ７６を切換え操作できるようにしている。
【００５８】
連動機構は、きわ剃りユニット６の支軸５２に固定されるピニオン７７と、先の脚片７４の中途部の後ろ面に形成したラック７８とで構成する。脚片７４がガイド溝６０に案内されて下方へスライドするとき、ラック７８とピニオン７７のギヤ歯どうしが噛合うことによって、図５に示すように、きわ剃りユニット６を垂直の待機姿勢から水平の使用姿勢に切換えることができる。同時に、きわ剃りユニット６の受動アーム４９が揺動し、図７に示すようにその受動片５４が第３駆動軸（きわ剃りユニット用の駆動軸）３８の連結片３９と係合して、可動刃４８を駆動可能な状態にできる。きわ剃りユニット６を使用するときは、保護キャップ３を装着部５１に装着することで、前記スイッチ７６を操作突起７５で切換操作してモーター１４を起動する。つまり、保護キャップ３を装着部５１に装着するだけで、きわ剃りユニット６を使用姿勢に切換え、さらに駆動源であるモーター１４を起動してきわ剃りユニット６を使用可能な状態にできるので、ユーザーの手間を省くことができる。なお、保護キャップ３が取外してある状態で、スイッチノブ４をオン操作する場合にもモーター１４を起動できる。また、きわ剃りユニット６が使用姿勢に切換わるのと同時、あるいはその直前にモーター１４が起動されるので、きわ剃りユニット６の姿勢が切換えられる途中に、モーター１４が起動され可動刃４８が駆動されるのを防止して、電気かみそりの安全性を向上できる。
【００５９】
以上のように、保護キャップ３を装着部５１に装着した状態では、かみそりヘッド２の前後、左右、上下への変位を保護キャップ３で規制するので、受動アーム４９と第３駆動軸３８との間の往復動力の伝動を効率よく行なって、左右方向へ往復駆動される可動刃４８の伝動ロスを小さくできる。また、本体部１と一体に設けた装着部５１に保護キャップ３を装着して、かみそりヘッド２の変位を規制するので、保護キャップ３に大きな外力が作用することがあったとしても、きわ剃りユニット６が待機姿勢に戻ることはない。さらに、ユーザーの明確な意図がない限り、保護キャップ３の装着状態を維持し続けることができるので、電気かみそりが床面に落下するような場合であっても、切断刃部１１を保護キャップ３で確実に保護して、固定刃２３・２５・２７・２９が破損するのを防止できる。なお、実施例１におけるガイド溝６０は、少なくともピニオン７７が配置される側に限って設けてあれば足りる。
【００６０】
（実施例２）  図９および図１０は実施例２に係る保護キャップ３を示す。そこでは、保護キャップ３の前壁６４と後壁６５のそれぞれに、同形、同大の門形の規制枠６６を設けて、前後を反転したいずれの場合にも保護キャップ３を装着部５１に装着できるようにした。装着部５１の左右には、左右の脚片７４と係合するガイド溝６０が形成してある。また、後壁６５の一方の脚片７４に限ってラック７８と操作突起７５を形成した。この実施例に係る保護キャップ３によれば、前壁６４側の規制枠６６を装着部５１に装着した状態（図１０の状態）では、きわ剃りユニット６が待機姿勢に保持され、スイッチ７６はオフ状態に保持される。他は先の実施例と同じであるので、同じ部材に同じ符号を付してその説明を省略する。以下の実施例においても同じ扱いとする。
【００６１】
上記のように、保護キャップ３の装着部５１に対する装着姿勢を前後に反転して、きわ剃りユニット６を待機姿勢あるいは使用姿勢に保持できるようにすると、１個の保護キャップ３のみできわ剃りユニット６の姿勢を切換えることができる。従って、きわ剃りユニット６を待機姿勢に保持しながら切断刃部１１を保護するキャップと、きわ剃りユニット６を使用姿勢に保持しながら切断刃部１１を保護するキャップとの２種類の保護キャップを設ける場合に比べて、電気かみそりの全体コストを削減できる。
【００６２】
（実施例３）  図１１は実施例３に係る保護キャップ３を示す。そこでは、第１凹部５５の下半部に配置した操作ノブ（ユニット操作体）８３を上下スライドすることにより、きわ剃りユニット６を待機姿勢と使用姿勢とに切換え操作できるようにしている。また、保護キャップ３をかみそりヘッド２に設けた装着部８１に装着して、切断刃部１１の外面を保護キャップ３で覆った状態において、かみそりヘッド２の前後傾動および左右傾動を本体部１で保護キャップ３を介して規制している。詳しくは、かみそりヘッド２のヘッド支持体１０を装着部８１に利用して、保護キャップ３の開口内面をヘッド支持体１０の周面に係合できるようにした。また、保護キャップ３の後壁６５をコ字状に切欠いて規制枠６６とし、その左右内壁６６ａ・６６ｂが装着部５１の左右のガイド溝６０と係合し、上内壁６６ｃが装着部５１の上壁５１ｃで受止められるようにした。保護キャップ３と装着部８１との密接部分に、互いに凹凸係合する突起７９と凹部８０とを設けて、保護キャップ３がかみそりヘッド２から分離するのを防止した。この実施例では、突起７９を保護キャップ３に、凹部８０をヘッド支持体１０に設けるようにした。
【００６３】
上記のように、保護キャップ３をかみそりヘッド２の装着部８１に装着して切断刃部１１を保護し、同時にかみそりヘッド２の変位を規制できるようにすると、保護キャップ３は、少なくとも切断刃部１１を覆う大きさがあればよいことになる。従って、実施例１で説明した保護キャップ３に比べて、保護キャップ３を小形化して低コスト化できる。
【００６４】
（実施例４）  図１２ないし図１４は本発明に係る実施例４を示す。実施例１から実施例３では、保護規制体（保護キャップ）３でかみそりヘッド２の左右傾動を規制するようにしたが、実施例４以下の各実施例においては、引寄せ機能を備えた規制構造でかみそりヘッド２の左右傾動を規制して、第３駆動軸（きわ剃りユニット用の駆動軸）３８と受動アーム４９との間の動力ロスを解消できるようにした。
【００６５】
この実施例における電気かみそりは、ヘッド支持体を兼ねるヘッドベース１３の下面にモーターホルダー１５を固定して、かみそりヘッド２の全体を図１３に示す首振り機構で左右および前後傾動可能に、かつ上下動自在に支持し、圧縮ばね８２で押上げ付勢している。詳しくは、実施例１の首振り機構と同様に、モーターホルダー１５の左右に設けた遊動脚１７を内ケース９の環状枠９ａで支持し、さらにモーターホルダー１５と内ケース９との間に圧縮コイルばねからなる遊動ばね１８を配置して、作動ユニットの全体を左右および前後傾動可能に、かつ上下動自在に支持した。遊動脚１７の下端には、環状枠９ａで受止められる係合爪１７ａが設けてある。
【００６６】
きわ剃りユニット６は、きわ剃りケース４６の内部にバリカン刃構造の固定刃４７および可動刃４８と、受動アーム４９とを組み込んで構成してある。きわ剃りユニット６は、本体部１の背面の四角形状の装着部５１の内部に配置されており、その上部左右を一対の支軸５２で支持することにより、図１２に示す待機位置と、図１４に示す使用位置との間を揺動できる。きわ剃りユニット６を待機姿勢から使用姿勢に切換えるために、きわ剃りユニット６の下部に上下スライド自在な操作ノブ（ユニット操作体）８３を設けている。図１４に示すように、操作ノブ８３を押上げ操作すると、きわ剃りユニット６を上方揺動させて、同ユニット６を使用姿勢に保持できる。操作ノブ８３を押下げ操作すると、きわ剃りユニット６を下方揺動させて、同ユニット６を待機位置へ戻すことができる。この実施例における切断刃部１１は、実施例１における第１切断刃１９が省略してある。また、第３駆動軸（きわ剃りユニット用の駆動軸）３８が後側の振動子３２と一体に形成してある。
【００６７】
きわ剃りユニット６を使用姿勢に切換えた状態において、かみそりヘッド２の本体部１に対する変位を規制するために、操作ノブ８３とかみそりヘッド２の間に規制構造を設けている。この実施例における規制構造は、操作ノブ８３と一体に設けた左右一対のＬ字状の規制体８４と、モーターホルダー１５の左右の締結ボス部８５に設けた上下方向の貫通穴からなる規制ガイド８６とで構成する。規制体８４には上下方向に長い棒状の係合軸８４ａが設けてあり、規制ガイド８６の下端開口には、係合軸８４ａの係合を容易化する係合案内面８７が上すぼまりテーパー状に形成してある。係合軸８４ａの軸中心は規制ガイド８６の穴中心に対して、きわ剃りユニット６の側（後側）へ僅かに位置ずれする状態で設けてある。位置ずれの形態としては、係合軸８４ａの軸中心が、規制ガイド８６の穴中心軸に対して平行に位置ずれする場合と、係合軸８４ａの軸中心を僅かに後傾させる場合のいずれであってもよい。
【００６８】
操作ノブ８３が下方の待機位置にあるとき、係合軸８４ａの上端は締結ボス部８５の下方において係合案内面８７と隙間を介して対向しており、従って、かみそりヘッド２は左右および前後へ傾動でき、さらに上下動できる。このときの規制ガイド８６の下端開口縁と係合軸８４ａの上端との間の距離（上下動ストローク）Ｈ１は３ｍｍである。図１３に示すように、操作ノブ８３を待機位置から使用位置まで押上げ操作すると、きわ剃りユニット６が使用姿勢に切換わって、その受動アーム４９が第３駆動軸（きわ剃りユニット用の駆動軸）３８に連結される。さらに、規制体８４の係合軸８４ａが係合案内面８７に案内されて規制ガイド８６と係合して、かみそりヘッド２が左右傾動し、あるいは前後傾動するのを規制する。また、係合軸８４ａの軸中心が規制ガイド８６の穴中心軸に対して、後側へ位置ずれさせてあるので、係合軸８４ａが規制ガイド８６と係合した状態では、モーターホルダー１５をきわ剃りユニット６側へ引寄せ操作して、かみそりヘッド２の全体をきわ剃りユニット６に接近した状態で拘束できる。従って、伝動機構の第３駆動軸３８と受動アーム４９との間のがたつきを抑止して、両者３８・４９間の動力の伝動効率を向上することができる。なお、この規制状態においても、かみそりヘッド２は上下動できる。このように、かみそりヘッド２の上下動を許容しながら、左右傾動および前後傾動を規制すると、切断刃部１１によるひげ切断と、きわ剃りユニット６によるひげ切断を併用する場合であっても、切断刃部１１に作用する無理な外力を逃がすことができる。
【００６９】
操作ノブ８３および規制体８４は、待機位置から上向きに距離（上下方向のスライドストローク）Ｈ２だけ移動してきわ剃りユニット６を使用姿勢に切換える。このときのスライドストロークＨ２は５ｍｍである。このように、かみそりヘッド２の本体部１に対する上下動ストロークＨ１は、操作ノブ８３の上下方向のスライドストロークＨ２より小さく設定してあるので、切断刃部１１によってひげ剃りを行うとき、上下動するかみそりヘッド２が規制体８４と接当干渉することはない。
【００７０】
（実施例５）  実施例４では操作ノブ８３に長い棒状の規制体８４を設け、かみそりヘッド２の側に規制ガイド８６を設けたが、図１５に示すように逆の構成を採用することができる。詳しくは、モーターホルダー１５の締結ボス部８５の左右に、下向きに延びる丸棒状の規制体８４を一体に設け、操作ノブ８３の内面の左右にボス８８を一体に設けて、ボス８８に丸穴からなる規制ガイド８６を設けることができる。規制ガイド８６の上端開口には、下すぼまりテーパー状の係合案内面８７を形成する。このように、規制体８４と規制ガイド８６は、かみそりヘッド２と操作ノブ８３のいずれの側に設けてあってもよい。この実施例においても、実施例４と同様に、規制ガイド８６の穴中心を規制体８４の軸中心に対して後側へ位置ずれさせておくことにより、規制ガイド８６と規制体８４が係合した状態では、モーターホルダー１５をきわ剃りユニット６側へ引寄せ操作して、かみそりヘッド２の全体をきわ剃りユニット６に接近した状態で拘束できる。これにより、伝動機構の第３駆動軸（きわ剃りユニット用の駆動軸）３８と受動アーム４９との間のがたつきを抑止して、両者３８・４９間の動力の伝動効率を向上することができる。
【００７１】
（実施例６）  図１６および図１７は本発明に係る実施例６を示す。実施例６に係る電気かみそりにおいては、実施例４と同様に、かみそりヘッド２の全体が図示していない首振り機構で左右および前後傾動可能に、かつ上下動自在に支持してある。また、きわ剃りユニット６は、本体部１で下方の待機位置と、上方の使用位置との間で上下スライド自在に支持してある。操作ノブ８３の上端には、きわ剃りケース４６が固定してあり、固定刃４７と可動刃４８とがきわ剃りケース４６から後向きに突出する状態で配置してある。操作ノブ８３を押上げ操作すると、きわ剃りユニット６の全体が上方移動して使用姿勢に保持され、その受動アーム４９が第３駆動軸３８に連結されて、往復動力を伝動できる状態になる。この実施例から理解できるように、きわ剃りユニット６は、操作ノブ８３が上向きにスライド変位することで使用姿勢に切換わる形態であってもよく、きわ剃りユニット６が揺動変位して使用姿勢に切換わる形態である必要はない。
【００７２】
きわ剃りユニット６を使用姿勢に切換えた状態において、かみそりヘッド２の本体部１に対する変位を規制するために、操作ノブ８３の内面に左右一対のＬ字状の規制体８４を設けている。さらに、モーター１４の全体を収容するモーターホルダー１５の左右両側に、上下方向の溝からなる規制ガイド８６を設け、規制ガイド８６の下端に係合案内面８７を上すぼまりテーパー状に設けている。モーターホルダー１５の下端の前後には、かみそりヘッド２の上方への進出限界を規定する左右一対ずつの係合脚８９が設けてある。規制体８４と規制ガイド８６の上下の位置関係は実施例４と同じに設定してある。このように、かみそりヘッド２の上下動を許容しながら、左右傾動、および前後傾動を規制する規制構造は、モーター１４の支持構造やかみそりヘッド２の首振り構造の違いに応じて、種々に変更した構造で実施することができる。この実施例においても、実施例４と同様に、規制体８４の係合軸８４ａの軸中心を、規制ガイド８６の穴中心に対して後側へ位置ずれさせておくことにより、図１７に示すように、係合軸８４ａが規制ガイド８６に係合した状態では、モーターホルダー１５をきわ剃りユニット６側へ引寄せ操作して、かみそりヘッド２の全体をきわ剃りユニット６に接近した状態で拘束できる。これにより、伝動機構の第３駆動軸（きわ剃りユニット用の駆動軸）３８と受動アーム４９との間のがたつきを抑止して、両者３８・４９間の動力の伝動効率を向上することができる。
【００７３】
（実施例７）  図１８および図１９は本発明に係る実施例７を示す。実施例７に係る電気かみそりにおいては、切断刃部１１がロータリー刃構造の第４切断刃２２と第２切断刃２０とのみで構成されており、実施例１で説明した第１切断刃１９と第３切断刃２１は省略してある。また、きわ剃りユニット６を使用姿勢に切換えるために、同ユニット６の下方に上下スライドされる操作ノブ８３を備えており、きわ剃りケース４６の全体をケースばね９２で使用姿勢に向かって揺動付勢している。きわ剃りケース４６の上部左右に規制体８４を設け、きわ剃りケース４６が使用姿勢に切換わった状態において、規制体８４が本体部１に設けた係合壁（規制ガイド）８６と係合して、かみそりヘッド２の左右傾動を規制できるようにしている。
【００７４】
さらに、規制体８４の先端に引寄せ爪９３を設けて、引寄せ爪９３が係合壁８６と係合した状態において、かみそりヘッド２をきわ剃りユニット６側へ引寄せて第３駆動軸（きわ剃りユニット用の駆動軸）３８と受動アーム４９との間のがたつきを抑止することにより、伝動効率を向上できるようにしている。操作ノブ８３は上下スライド自在に支持されて、ノブばね９４で押上げ付勢してあり、その上端に設けたロック片９５が、きわ剃りケース４６のロック溝９６と係合することにより、きわ剃りユニット６の全体をケースばね９２の付勢力に逆らって待機姿勢に位置保持している。この実施例におけるモーターホルダー１５の前後には一対の支軸９７が設けてあり、この支軸９７を内ケース９０に設けたガイド溝９８で上下動自在に、しかも左右傾動自在に支持している。なお、かみそりヘッド２は、引寄せ爪９３と係合壁８６の上下方向の係合長さの範囲内で上下動できる。きわ剃りユニット６は人手によって使用姿勢から待機姿勢に戻される。符号９９はきわ剃りユニット６および操作ノブ８３を収容する後収容部であり、本体部１と一体に形成してある。
【００７５】
（実施例８）  図２０および図２１は本発明に係る実施例８を示す。この実施例においては、操作ノブ８３を上方の待機位置から下方の使用位置までスライド操作することにより、きわ剃りユニット６が図２０に示す待機姿勢から、図２１に示す使用姿勢に切換わるようにした。詳しくは、きわ剃りケース４６の上端の前面側にブラケット１０１を設け、操作ノブ８３とブラケット１０１をリンク棒１０２を介して連結した。また、操作ノブ８３に同行して上下揺動する中継レバー１０３と、中継レバー１０３で上下操作される規制体８４と、モーターホルダー１５に設けられる丸穴状の規制ガイド８６とで規制構造を構成して、かみそりヘッド２の本体部１に対する変位を規制できるようにした。符号１０４は中継レバー１０３を揺動自在に支持するレバー軸である。規制体８４は、内ケースに設けたガイド突起１０５で上下スライドのみ可能に支持してある。
【００７６】
不使用状態のきわ剃りユニット６は、きわ剃りケース４６が垂直姿勢になっており、この状態から操作ノブ８３を押下げ操作すると、その動作がリンク棒１０２を介してブラケット１０１に伝動されるため、きわ剃りケース４６は水平の使用姿勢に切換わり、受動アーム４９が第３駆動軸（きわ剃りユニット用の駆動軸）３８に連結される。同時に、中継レバー１０３が時計回転方向へ揺動して、規制体８４を上向きに移動させ、その上端を規制ガイド８６に係合させて、かみそりヘッド２の左右傾動および前後傾動を規制する。なお、実施例４、実施例５、実施例６、実施例８に係る電気かみそりのかみそりヘッド２は前後傾動する必要はなく、少なくとも左右傾動可能で、かつ上下動できる首振り機構で支持してあればよい。
【００７７】
上記の実施例では、本体部１の上端より上方に突出する装着部５１で保護キャップ３を変位不能に固定保持して、かみそりヘッド２の左右傾動や前後傾動を規制できるようにしたが、その必要はなく、本体部１の上端より下方に設けた装着部５１で保護キャップ３を変位不能に固定保持することができる。スイッチ７６は、脚片７４のスライド軌跡に臨む位置であれば、任意の位置に配置することができる。また、図３の実施例では、作動ユニットの全体が本体部１で左右傾動可能に支持してある場合を例示したが、その必要はなく、本発明は、少なくともかみそりヘッド２が本体部１で左右傾動可能に支持してある電気かみそりにも同様に適用できる。
【００７８】
電気かみそりによっては、本体部１の前面に設けたスイッチノブ（スライドノブ）４をオン操作するのに連動して、きわ剃りユニット６が使用姿勢に切換わり、第３駆動軸３８の往復動力をきわ剃りユニット６の可動刃４８に伝動する構造のものがある。その場合のスイッチノブ４は、上記の実施例で説明した操作ノブ（ユニット操作体）８３に相当するものとする。図１２以下で説明した引寄せ機能を備えた規制構造は、図１から図１１で説明した左右傾動と上下動が自在に構成してある首振り機構を備えている電気かみそり、あるいは左右傾動のみ可能な首振り機構を備えている電気かみそりにも、等しく適用することができる。なお、左右傾動が可能な首振り機構を備えている電気かみそりの場合には、第３駆動軸３８の連結片３９と受動アーム４９との前後方向のガタ付きは小さい。しかし、規制構造でかみそりヘッド２を引寄せ操作することにより前後方向の僅かなガタ付きを解消して、連結片３９から受動アーム４９への往復動力の伝動を効率よく行なうことができる。
【符号の説明】
【００７９】
１  本体部
２  かみそりヘッド
３  保護キャップ（保護規制体）
６  きわ剃りユニット
１１  切断刃部
３８  第３駆動軸（きわ剃りユニット用の駆動軸）
３９  連結片
４７  固定刃
４８  可動刃
４９  受動アーム
５１  装着部
５４  受動片
６６  規制枠
７４  脚片
７７  ピニオン
７８  ラック
【図１】
2014018585.tif 000003
【図２】
2014018585.tif 000004
【図３】
2014018585.tif 000005
【図４】
2014018585.tif 000006
【図５】
2014018585.tif 000007
【図６】
2014018585.tif 000008
【図７】
2014018585.tif 000009
【図８】
2014018585.tif 000010
【図９】
2014018585.tif 000011
【図１０】
2014018585.tif 000012
【図１１】
2014018585.tif 000013
【図１２】
2014018585.tif 000014
【図１３】
2014018585.tif 000015
【図１４】
2014018585.tif 000016
【図１５】
2014018585.tif 000017
【図１６】
2014018585.tif 000018
【図１７】
2014018585.tif 000019
【図１８】
2014018585.tif 000020
【図１９】
2014018585.tif 000021
【図２０】
2014018585.tif 000022
【図２１】
2014018585.tif 000023